(57)【要約】  リンクアグリゲーションを使用する伝送システムの伝送効率を向上することを可能にするため、リンクアグリゲーショングループ（ＬＡＧ）を構成する物理リンクの各々の帯域使用率に関する第一の情報を受信し、物理リンクを通過するパケットの識別情報の各々についてのデータ量に関する第二の情報を受信し、ＬＡＧを構成する物理リンクの帯域使用率に不均衡があるとき、振り分けルールおよび第二の情報に基づいて、不均衡の要因となっている要因パケットの識別情報を推定する。また、要因パケットを、要因パケットの振り分け先の物理リンクに振り分け、要因パケットでないパケットを、ＬＡＧを構成する物理リンクの各々について、当該物理リンクの最大使用可能帯域から、当該物理リンクを振り分け先とする要因パケットの使用帯域を減算した残帯域に基づく振り分けルールに従って、振り分ける。
2019167734.tif 000002
【特許請求の範囲】
【請求項１】
リンクアグリゲーショングループを構成する物理リンクの各々の帯域使用率に関する第一の情報を受信する第一の情報受信手段と、
前記物理リンクを通過するパケットの識別情報の各々についてのデータ量に関する第二の情報を受信する第二の情報受信手段と、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定手段と
を備えることを特徴とする伝送監視装置。
【請求項２】
前記要因パケット推定手段は、前記リンクアグリゲーショングループを構成する前記物理リンクの前記帯域使用率の平均値と最大値との間に第一の値を超える差があるとき、前記不均衡があると判断する
ことを特徴とする請求項１に記載の伝送監視装置。
【請求項３】
前記要因パケット推定手段は、前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする請求項１あるいは請求項２に記載の伝送監視装置。
【請求項４】
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする請求項３に記載の伝送監視装置。
【請求項５】
前記要因パケット推定手段は、抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする請求項３あるいは請求項４に記載の伝送監視装置。
【請求項６】
前記要因パケット推定手段は、さらに、前記要因パケットの前記データ量を出力する
ことを特徴とする請求項１から請求項５のいずれかに記載の伝送監視装置。
【請求項７】
第一の情報受信手段は、前記第一の情報を、前記リンクアグリゲーショングループを構成する前記物理リンクを使用して前記パケットを伝送する伝送装置から受信する
ことを特徴とする請求項１から請求項６のいずれかに記載の伝送監視装置。
【請求項８】
前記伝送装置は、前記物理リンクへ前記パケットを送信する
ことを特徴とする請求項７に記載の伝送監視装置。
【請求項９】
第二の情報受信手段は、前記第二の情報を、前記物理リンクを通過する前記パケットを送信する送信装置から受信する
ことを特徴とする請求項１から請求項８のいずれかに記載の伝送監視装置。
【請求項１０】
パケットを受信するパケット受信手段と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け手段と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け手段と
を備えることを特徴とする伝送装置。
【請求項１１】
前記第一の振り分け手段は、前記要因パケットの前記振り分け先を決定する
ことを特徴とする請求項１０に記載の伝送装置。
【請求項１２】
前記第二の振り分け手段は、前記振り分けルールを決定する
ことを特徴とする請求項１０あるいは請求項１１に記載の伝送装置。
【請求項１３】
前記第二の振り分け手段は、前記物理リンクの前記残帯域の比と前記物理リンクを前記振り分け先とする前記識別情報の数の比が等しくなるように、前記振り分けルールを決定する
ことを特徴とする請求項１２に記載の伝送装置。
【請求項１４】
前記要因パケットの前記識別情報および前記使用帯域を含む設定情報を受信する設定受信手段
をさらに備えることを特徴とする請求項１０から請求項１３のいずれかに記載の伝送装置。
【請求項１５】
請求項１から請求項６のいずれかに記載の伝送監視装置と、
前記リンクアグリゲーショングループを構成する前記物理リンクを使用して前記パケットを伝送する伝送装置と
を備えることを特徴とする伝送システム。
【請求項１６】
請求項７あるいは請求項８のいずれかに記載の伝送監視装置と、
前記伝送装置と
を備えることを特徴とする伝送システム。
【請求項１７】
請求項９に記載の伝送監視装置と、
前記送信装置と
前記リンクアグリゲーショングループを構成する前記物理リンクを使用して前記パケットを伝送する伝送装置と、
を備えることを特徴とする伝送システム。
【請求項１８】
前記伝送装置は、請求項１０から請求項１４のいずれかに記載の伝送装置である
ことを特徴とする請求項１５から請求項１７のいずれかに記載の伝送システム。
【請求項１９】
リンクアグリゲーショングループを構成する物理リンクの各々の帯域使用率に関する第一の情報を受信し、
前記物理リンクを通過するパケットの識別情報の各々についてのデータ量に関する第二の情報を受信し、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する
ことを特徴とする伝送監視方法。
【請求項２０】
前記リンクアグリゲーショングループを構成する前記物理リンクの前記帯域使用率の平均値と最大値との間に第一の値を超える差があるとき、前記不均衡があると判断する
ことを特徴とする請求項１９に記載の伝送監視方法。
【請求項２１】
前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする請求項１９あるいは請求項２０に記載の伝送監視方法。
【請求項２２】
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする請求項２１に記載の伝送監視方法。
【請求項２３】
抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする請求項２１あるいは請求項２２に記載の伝送監視方法。
【請求項２４】
さらに、前記要因パケットの前記データ量を出力する
ことを特徴とする請求項１９から請求項２３のいずれかに記載の伝送監視方法。
【請求項２５】
前記第一の情報を、前記リンクアグリゲーショングループを構成する前記物理リンクを使用して前記パケットを伝送する伝送装置から受信する
ことを特徴とする請求項１９から請求項２４のいずれかに記載の伝送監視方法。
【請求項２６】
前記伝送装置は、前記物理リンクへ前記パケットを送信する
ことを特徴とする請求項２５に記載の伝送監視方法。
【請求項２７】
前記第二の情報を、前記物理リンクを通過する前記パケットを送信する送信装置から受信する
ことを特徴とする請求項１９から請求項２６のいずれかに記載の伝送監視方法。
【請求項２８】
パケットを受信し、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分け、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける
ことを特徴とする伝送方法。
【請求項２９】
前記要因パケットの前記振り分け先を決定する
ことを特徴とする請求項２８に記載の伝送方法。
【請求項３０】
前記振り分けルールを決定する
ことを特徴とする請求項２８あるいは請求項２９に記載の伝送方法。
【請求項３１】
前記物理リンクの前記残帯域の比と前記物理リンクを前記振り分け先とする前記識別情報の数の比が等しくなるように、前記振り分けルールを決定する
ことを特徴とする請求項３０に記載の伝送方法。
【請求項３２】
前記要因パケットの前記識別情報および前記使用帯域を含む設定情報を受信する
ことを特徴とする請求項２８から請求項３１のいずれかに記載の伝送方法。
【請求項３３】
前記リンクアグリゲーショングループを構成する前記物理リンクの各々の前記帯域使用率に関する第一の情報を受信し、
前記物理リンクを通過する前記パケットの前記識別情報の各々についてのデータ量に関する第二の情報を受信し、
前記リンクアグリゲーショングループを構成する前記物理リンクの前記帯域使用率に不均衡があるとき、前記振り分けルールおよび前記第二の情報に基づいて推定した、前記要因パケットの前記識別情報を出力する
ことを特徴とする請求項２８から請求項３２のいずれかに記載の伝送方法。
【請求項３４】
コンピュータに、
リンクアグリゲーショングループを構成する物理リンクの各々の帯域使用率に関する第一の情報を受信する第一の情報受信機能と、
前記物理リンクを通過するパケットの識別情報の各々についてのデータ量に関する第二の情報を受信する第二の情報受信機能と、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定機能と
を実現させることを特徴とする伝送監視プログラムを記録したコンピュータ読み取り可能な記録媒体。
【請求項３５】
前記要因パケット推定機能は、前記リンクアグリゲーショングループを構成する前記物理リンクの前記帯域使用率の平均値と最大値との間に第一の値を超える差があるとき、前記不均衡があると判断する
ことを特徴とする請求項３４に記載の伝送監視プログラムを記録したコンピュータ読み取り可能な記録媒体。
【請求項３６】
前記要因パケット推定機能は、前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする請求項３４あるいは請求項３５に記載の伝送監視プログラムを記録したコンピュータ読み取り可能な記録媒体。
【請求項３７】
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする請求項３６に記載の伝送監視プログラムを記録したコンピュータ読み取り可能な記録媒体。
【請求項３８】
前記要因パケット推定機能は、抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする請求項３６あるいは請求項３７に記載の伝送監視プログラムを記録したコンピュータ読み取り可能な記録媒体。
【請求項３９】
前記要因パケット推定機能は、さらに、前記要因パケットの前記データ量を出力する
ことを特徴とする請求項３４から請求項３８のいずれかに記載の伝送監視プログラムを記録したコンピュータ読み取り可能な記録媒体。
【請求項４０】
第一の情報受信機能は、前記第一の情報を、前記リンクアグリゲーショングループを構成する前記物理リンクを使用して前記パケットを伝送する伝送装置から受信する
ことを特徴とする請求項３４から請求項３９のいずれかに記載の伝送監視プログラムを記録したコンピュータ読み取り可能な記録媒体。
【請求項４１】
前記伝送装置は、前記物理リンクへ前記パケットを送信する
ことを特徴とする請求項４０に記載の伝送監視プログラムを記録したコンピュータ読み取り可能な記録媒体。
【請求項４２】
第二の情報受信機能は、前記第二の情報を、前記物理リンクを通過する前記パケットを送信する送信装置から受信する
ことを特徴とする請求項３４から請求項４１のいずれかに記載の伝送監視プログラムを記録したコンピュータ読み取り可能な記録媒体。
【請求項４３】
コンピュータに、
パケットを受信するパケット受信機能と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け機能と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け機能と
を実現させることを特徴とする伝送プログラムを記録したコンピュータ読み取り可能な記録媒体。
【請求項４４】
前記第一の振り分け機能は、前記要因パケットの前記振り分け先を決定する
ことを特徴とする請求項４３に記載の伝送プログラムを記録したコンピュータ読み取り可能な記録媒体。
【請求項４５】
前記第二の振り分け機能は、前記振り分けルールを決定する
ことを特徴とする請求項４３あるいは請求項４４に記載の伝送プログラムを記録したコンピュータ読み取り可能な記録媒体。
【請求項４６】
前記第二の振り分け機能は、前記物理リンクの前記残帯域の比と前記物理リンクを前記振り分け先とする前記識別情報の数の比が等しくなるように、前記振り分けルールを決定する
ことを特徴とする請求項４５に記載の伝送プログラムを記録したコンピュータ読み取り可能な記録媒体。
【請求項４７】
前記要因パケットの前記識別情報および前記使用帯域を含む設定情報を受信する設定受信機能
をコンピュータにさらに備えることを特徴とする請求項４３から請求項４６のいずれかに記載の伝送プログラムを記録したコンピュータ読み取り可能な記録媒体。
【発明の詳細な説明】
【技術分野】
【０００１】
本発明は、リンクアグリゲーションを使用する伝送システムにおける、伝送監視装置、伝送装置、システム、方法および記録媒体に関する。
【背景技術】
【０００２】
リンクアグリゲーションは、複数の物理リンクを一つの論理リンクとして扱う技術である。一つの論理リンクとして扱われる複数の物理リンクの集合は、リンクアグリゲーショングループ（ＬＡＧ：Link aggregation Group）と呼ばれる。リンクアグリゲーションを使用する伝送装置では、あらかじめ決められた振り分けルールに従って、ＬＡＧを構成する物理リンクに各パケットを振り分ける。【０００３】
一般的に、伝送装置は、送信元／宛先のＭＡＣ（Media Access Control）アドレスやＩＰ（Internet Protocol）アドレスなどの識別情報に基づいて、フロー単位で、各パケットを各物理リンクに振り分ける。たとえば、振り分けルールは、各物理リンクに振り分けられる識別情報の数（フローの数）の比が各物理リンクの最大使用可能帯域の比となるように決められる。【０００４】
しかし、この方法では、伝送するパケットの識別情報に不均衡があった場合に、ＬＡＧ内の帯域には空きがあるのに、特定の物理リンクに振り分けられたパケット量が最大使用可能帯域を超えてしまう可能性がある。そして、伝送できなかったパケットは、シェーピング（バッファリング）された後、ＣｏＳ（Class of Service）値などによる優先制御に従って破棄されてしまう。【０００５】
データリンク層レベルでパケットの破棄が発生した場合、伝送装置は、各物理リンクに設けたパケットカウンタによって、パケットの破棄が発生したことと、他の物理リンクに空きがあることを把握することができる。しかし、リンクアグリゲーションを使用する伝送装置では、一般的に、ネットワーク層レベルでのフロー制御は行わないため、パケット破棄の原因となっているフローを特定することができない。【０００６】
また、パケットの破棄が発生すると、この伝送装置を介してデータ伝送を行う送信装置が、ネットワーク層以上でのフロー制御によって、送信装置から出力するＩＰパケットの送信量を抑制する。その結果、ＬＡＧ内の帯域には空きがあるのに送信装置からの送信量が抑制され、伝送効率が低下してしまう。【０００７】
ＬＡＧ内の物理リンクの負荷を均等にするために、パケット振り分けのキーとなる識別情報の各々について単位時間あたりの通信量を測定し、その通信量に応じてフローを振り分ける方法も考えられる。識別情報の各々についての通信量を測定するには、多量のパケットカウンタが必要である。しかし、多量のカウンタ用のメモリを伝送装置内に確保することは経済的に難しく、また、伝送装置が多量のカウンタを動作させることは処理能力的に難しい。また、振り分けのキーとして、ＩＥＥＥ（Institute of Electrical and Electronic Engineers）  ８０２．１ＱのＶＬＡＮ（Virtual Local Area Network）など、ＭＡＣアドレスやＩＰアドレス以外の識別情報を使用する場合を考慮すると、カウンタ数はさらに増大する。【０００８】
これに対し、特許文献１に記載の方法では、トラフィックを保証レート分の保証トラフィックと保証レートを超える分の超過トラフィックに分け、保証トラフィックを優先的に振り分け、超過トラフィックを空き帯域に振り分ける。これにより、超過トラフィックが破棄されないようにし、伝送効率を向上している。【０００９】
また、特許文献２に記載の方法では、高優先トラフィックが使用する帯域を除いた空き帯域の比率に基づいて、低優先トラフィックを振り分ける。これにより、高優先トラフィックの通信品質を保証している。
【先行技術文献】
【特許文献】
【００１０】
【特許文献１】特許第５６９６７２６号公報
【特許文献２】国際公開第２０１３／１２５１７７号
【発明の概要】
【発明が解決しようとする課題】
【００１１】
しかし、特許文献１に記載の方法では、帯域保証の対象フローに対して、超過トラフィックを空き帯域に振り分けるため、帯域保証対象外のフローの伝送量が大きい場合には、パケットの破棄が発生して伝送効率が低下する可能性がある。【００１２】
また、特許文献２に記載の方法では、高優先トラフィックが使用する帯域を除いた空き帯域の比率に基づいて、低優先トラフィックを振り分ける。そのため、低優先トラフィックで伝送されるパケットの識別情報に不均衡があった場合に、特定の物理リンクだけパケットの破棄が発生して、伝送効率が低下する可能性がある。【００１３】
本発明の目的は、リンクアグリゲーションを使用する伝送システムの伝送効率を向上することを可能にする、伝送監視装置、伝送装置、システム、方法および記録媒体を提供することにある。
【課題を解決するための手段】
【００１４】
上述の問題を解決するために、本発明の伝送監視装置は、リンクアグリゲーショングループを構成する物理リンクの各々の帯域使用率に関する第一の情報を受信する第一の情報受信手段と、前記物理リンクを通過するパケットの識別情報の各々についてのデータ量に関する第二の情報を受信する第二の情報受信手段と、前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定手段とを備えることを特徴とする。【００１５】
また、本発明の伝送装置は、パケットを受信するパケット受信手段と、受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け手段と、受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け手段とを備えることを特徴とする。【００１６】
また、本発明の伝送監視方法は、リンクアグリゲーショングループを構成する物理リンクの各々の帯域使用率に関する第一の情報を受信し、前記物理リンクを通過するパケットの識別情報の各々についてのデータ量に関する第二の情報を受信し、前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力することを特徴とする。【００１７】
また、本発明の伝送方法は、パケットを受信し、受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分け、受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分けることを特徴とする。【００１８】
また、本発明のコンピュータ読み取り可能な記録媒体に記憶された伝送監視プログラムは、コンピュータに、リンクアグリゲーショングループを構成する物理リンクの各々の帯域使用率に関する第一の情報を受信する第一の情報受信機能と、前記物理リンクを通過するパケットの識別情報の各々についてのデータ量に関する第二の情報を受信する第二の情報受信機能と、前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定機能とを実現させることを特徴とする。【００１９】
また、本発明のコンピュータ読み取り可能な記録媒体に記憶された伝送プログラムは、コンピュータに、パケットを受信するパケット受信機能と、受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け機能と、受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け機能とを実現させることを特徴とする。
【発明の効果】
【００２０】
本発明の伝送監視装置、伝送装置、システム、方法および記録媒体により、リンクアグリゲーションを使用する伝送システムの伝送効率を向上することが可能になる。
【図面の簡単な説明】
【００２１】
【図１】本発明の第一および第二の実施形態の伝送監視装置の構成例を示す図である。
【図２】本発明の第一の実施形態の伝送装置の構成例を示す図である。
【図３】本発明の第一の実施形態の伝送監視装置の動作例を示す図である。
【図４】本発明の第一および第二の実施形態の伝送装置の動作例を示す図である。
【図５】本発明の第二の実施形態の伝送システムの構成例を示す図である。
【図６】本発明の第二の実施形態の伝送装置の構成例を示す図である。
【図７】本発明の第二の実施形態の伝送監視装置の動作例を示す図である。
【図８】本発明の第二の実施形態の伝送装置の動作例を示す図である。
【図９】本発明の各実施形態のハードウェア構成例を示す図である。
【発明を実施するための形態】
【００２２】
［第一の実施形態］
本発明の第一の実施の形態について説明する。
【００２３】
図１に本実施形態の伝送監視装置１０の構成例を示す。本実施形態の伝送監視装置１０は、第一の情報受信部１１、第二の情報受信部１２および要因パケット推定部１３により構成される。
【００２４】
第一の情報受信部１１は、リンクアグリゲーショングループ（ＬＡＧ）を構成する物理リンクの各々の帯域使用率に関する第一の情報を受信する。第二の情報受信部１２は、物理リンクを通過するパケットの識別情報の各々についてのデータ量に関する第二の情報を受信する。要因パケット推定部１３は、ＬＡＧを構成する物理リンクの帯域使用率に不均衡があるとき、振り分けルールおよび第二の情報に基づいて推定した、不均衡の要因となっている要因パケットの識別情報を出力する。なお、振り分けルールは、パケットの識別情報とパケットの振り分け先の物理リンクとの対応関係を示す。
【００２５】
また、図２に本実施形態の伝送装置２０の構成例を示す。本実施形態の伝送装置２０は、パケット受信部２１、第一の振り分け部２２および第二の振り分け部２３により構成される。
【００２６】
パケット受信部２１は、パケットを受信する。第一の振り分け部２２は、受信したパケットが、ＬＡＧを構成する物理リンクの帯域使用率の不均衡の要因となっている要因パケットであるとき、受信したパケットを、要因パケットの振り分け先の物理リンクに振り分ける。第二の振り分け部２３は、受信したパケットが要因パケットでないとき、振り分けルールに従って、受信したパケットを振り分ける。この振り分けルールは、ＬＡＧを構成する物理リンクの各々について、当該物理リンクの最大使用可能帯域から、当該物理リンクを振り分け先とする要因パケットの使用帯域を減算した残帯域に基づく。
【００２７】
このように伝送監視装置１０および伝送装置２０を構成することによって、伝送監視装置１０は、ＬＡＧを構成する物理リンクの帯域使用率に不均衡があるとき、不均衡の要因となっている要因パケットを推定して出力する。伝送装置２０は、要因パケットの振り分け先の物理リンクに要因パケットを振り分ける。また、伝送装置２０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【００２８】
次に、図３に本実施形態の伝送監視装置１０の動作の例を示す。
【００２９】
第一の情報受信部１１は、ＬＡＧを構成する物理リンクの各々の帯域使用率に関する第一の情報を受信する（ステップＳ１０１）。また、第二の情報受信部１２は、物理リンクを通過するパケットの識別情報の各々についてのデータ量に関する第二の情報を受信する（ステップＳ１０２）。要因パケット推定部１３は、ＬＡＧを構成する物理リンクの帯域使用率に不均衡があるとき、振り分けルールおよび第二の情報に基づいて推定した、不均衡の要因となっている要因パケットの識別情報を出力する（ステップＳ１０３）。
【００３０】
次に、図４に本実施形態の伝送装置２０の動作の例を示す。
【００３１】
パケット受信部２１は、パケットを受信する（ステップＳ１１１）。第一の振り分け部２２は、受信したパケットが要因パケットであるとき（ステップＳ１１２でＹＥＳ）、受信したパケットを、要因パケットの振り分け先の物理リンクに振り分ける（ステップＳ１１３）。第二の振り分け部２３は、受信したパケットが要因パケットでないとき（ステップＳ１１２でＮＯ）、振り分けルールに従って、受信したパケットを振り分ける（ステップＳ１１４）。この振り分けルールは、ＬＡＧを構成する物理リンクの各々について、当該物理リンクの最大使用可能帯域から、当該物理リンクを振り分け先とする要因パケットの使用帯域を減算した残帯域に基づく。
【００３２】
このように動作することによって、伝送監視装置１０は、ＬＡＧを構成する物理リンクの帯域使用率に不均衡があるとき、不均衡の要因となっている要因パケットを推定して出力する。伝送装置２０は、要因パケットの振り分け先の物理リンクに要因パケットを振り分ける。また、伝送装置２０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【００３３】
以上で説明したように、本発明の第一の実施形態では、伝送監視装置１０は、ＬＡＧを構成する物理リンクの帯域使用率に不均衡があるとき、不均衡の要因となっている要因パケットを推定して出力する。伝送装置２０は、要因パケットの振り分け先の物理リンクに要因パケットを振り分ける。また、伝送装置２０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【００３４】
［第二の実施形態］
次に、本発明の第二の実施の形態について説明する。本実施形態では、伝送監視装置１０および伝送装置４０を用いた伝送システムについて、具体的に説明する。
【００３５】
まず、図５に本実施形態の伝送システムの構成例を示す。本実施形態の伝送システムは、伝送監視装置１０、送信装置３０、伝送装置４０、対向装置５０および受信装置６０により構成される。
【００３６】
送信装置３０は、受信装置６０へ向けてパケットを送信する装置である。受信装置６０は、送信装置３０が送信したパケットを受信する装置である。送信装置３０および受信装置６０は、ネットワーク層以上の層の機能を備え、フロー制御を行うことができる。
【００３７】
伝送装置４０および対向装置５０は、送信装置３０と受信装置６０の間の経路上に存在し、送信装置３０が送信したパケットを受信装置６０に向けて転送する装置である。伝送装置４０および対向装置５０は、リンクアグリゲーションの機能を備え、伝送装置４０と対向装置５０との間の物理リンクは、ＬＡＧを構成する。伝送装置４０および対向装置５０は、主としてデータリンク層レベルのパケット伝送制御を行う。
【００３８】
伝送装置４０は一台以上の送信装置３０からパケットを受信し、一台以上の対向装置５０へパケットを送信する。伝送装置４０は、送信装置３０から受信したパケットの転送先の対向装置５０をＡＲＰ（Address Resolution Protocol）テーブルを参照して決定し、受信したパケットを転送先の対向装置５０へ送信する。また、対向装置５０は、一台以上の伝送装置４０からパケットを受信し、一台以上の受信装置６０へパケットを送信する。
【００３９】
伝送監視装置１０は、伝送システムを監視する装置である。伝送監視装置１０は、伝送システム内の各装置から必要な情報を受信し、伝送装置４０へ、リンクアグリゲーションにおけるパケット振り分けに関する設定を行う。
【００４０】
なお、伝送監視装置１０と他の装置（送信装置３０、伝送装置４０、対向装置５０および受信装置６０）との間の通信回線は、監視専用の通信回線であっても良いし、伝送システムが提供している伝送サービスの通信回線であっても良い。
【００４１】
また、伝送装置４０が伝送監視装置１０の機能を実現可能な場合は、伝送装置４０が伝送監視装置１０の機能を備えていても良い。
【００４２】
次に、本実施形態の伝送監視装置１０の構成例について説明する。本実施形態の伝送監視装置１０の構成例は、第一の実施形態の伝送監視装置１０の構成例（図１）と同様である。
【００４３】
第一の情報受信部１１は、ＬＡＧを構成する物理リンクの各々の帯域使用率に関する第一の情報を受信する。本実施形態では、第一の情報受信部１１は、第一の情報を、ＬＡＧを構成する物理リンクを使用してパケットを伝送する伝送装置（伝送装置４０あるいは対向装置５０）から受信する。
【００４４】
具体的には、伝送装置４０の送信ポート群４４の物理ポートの各々に備えられたポートカウンタが、各物理ポートの送信データ量を測定する。第一の情報受信部１１は、伝送装置４０から、各物理ポートの単位時間あたりの送信データ量（使用帯域）を受信する。そして、第一の情報受信部１１は、各物理ポートの使用帯域を当該物理ポートの最大使用可能帯域で除算し、帯域使用率を求める。送信データ量から使用帯域への換算、および、使用帯域から帯域使用率への換算は、伝送装置４０で行っても、伝送監視装置１０の第一の情報受信部１１で行っても良い。
【００４５】
ただし、「要因パケット」が割り当てられている物理ポートについては、第一の情報受信部１１は、当該物理ポートの使用帯域および最大使用可能帯域から「要因パケット」の使用帯域を減算してから、帯域使用率を算出する。「要因パケット」については後述する。
【００４６】
第一の情報受信部１１は、伝送装置４０ではなく、対向装置５０から第一の情報を受信しても良い。この場合は、対向装置５０の受信ポート群の物理ポートの各々に備えられたポートカウンタが、各受信ポートの受信データ量を測定する。ただし、この場合は、対向装置５０の各受信ポートが伝送装置４０の送信ポート群４４のどの物理ポートと接続しているかを、ＬＬＤＰ（Link Layer Discovery Protocol）などのプロトコルを使って、伝送装置４０あるいは対向装置５０が認識する必要がある。
【００４７】
第二の情報受信部１２は、パケットの識別情報の各々についてのデータ量に関する第二の情報を受信する。なお、識別情報は、たとえば、送信元ＭＡＣアドレス、宛先ＭＡＣアドレス、送信元ＩＰアドレス、宛先ＩＰアドレス、ＶＬＡＮなど、伝送装置４０でのパケットの振り分けのキーとなる情報である。
【００４８】
本実施形態では、第二の情報受信部１２は、第二の情報を、ＬＡＧを構成する物理リンクを通過するパケットを送信する送信装置３０から受信する。送信装置３０は、パケットの識別情報の各々についての送信データ量に関する第二の情報を伝送監視装置１０へ送信する。伝送装置４０が第二の情報を把握できる場合には、伝送装置４０が伝送監視装置１０の機能を備えていても良い。
【００４９】
伝送監視装置１０は、送信装置３０から第二の情報を受信することによって識別情報の各々についてのデータ量を容易に把握することができる。送信装置３０が識別情報の各々のデータ量を測定する場合、送信装置３０は、自装置が送信するデータの送信データ量を測定すれば良い。しかし、伝送装置４０が識別情報の各々のデータ量を測定する場合、送信装置３０の各々から受信したデータについて、識別情報の各々のデータ量を測定することになる。そのため、伝送装置４０が識別情報の各々のデータ量を測定する場合、多量のメモリが必要となる。本実施形態では、送信装置３０が識別情報の各々のデータ量を測定するため、装置一台に対する必要なメモリ量および処理量が減り、識別情報の各々についてのデータ量の把握が容易になる。
【００５０】
要因パケット推定部１３は、ＬＡＧを構成する物理リンクの帯域使用率に不均衡があるとき、不均衡の要因となっている要因パケットの識別情報を推定し、推定した要因パケットの識別情報を出力する。
【００５１】
要因パケット推定部１３は、ＬＡＧを構成する物理リンクの帯域使用率に不均等があるかどうかを、第一の情報に基づいて、たとえば、次のように判断する。
【００５２】
要因パケット推定部１３は、ＬＡＧを構成する物理リンクの帯域使用率の平均値（平均帯域使用率）を計算する。次に、要因パケット推定部１３は、ＬＡＧを構成する物理リンクの帯域使用率の最大値から平均帯域使用率を減算することで、不均衡差を計算する。そして、要因パケット推定部１３は、不均衡差が所定の値（第一の値）を超えるときに、不均衡があると判断する。
【００５３】
また、不均衡があるとき、要因パケット推定部１３は、不均衡の要因の物理リンクを、たとえば、次のように判断する。
【００５４】
要因パケット推定部１３は、ＬＡＧを構成する物理リンクのうち、帯域使用率が最大の物理リンクを、不均衡の要因の物理リンクと判断する。あるいは、要因パケット推定部１３は、平均帯域使用率と所定の値（第二の値）との和より帯域使用率が大きい物理リンクを、不均衡の要因の物理リンクと判断しても良い。この場合、二つ以上の物理リンクが不均衡の要因の物理リンクと判断され得る。
【００５５】
また、要因パケット推定部１３は、ＬＡＧを構成する物理リンクの帯域使用率に不均衡があるとき、不均衡の要因となっている要因パケットの識別情報を、たとえば、次のように推定する。
【００５６】
要因パケット推定部１３は、あらかじめ、伝送装置４０における、パケットの識別情報とパケットの振り分け先の物理リンクとの対応関係を示す振り分けルールを把握している。要因パケット推定部１３は、伝送装置４０の振り分けルールから、不均衡の要因の物理リンクに振り分けられるパケットの識別情報を抽出する。そして、要因パケット推定部１３は、第二の情報に基づいて、抽出した識別情報のうち、データ量が最大の識別情報を、要因パケットの識別情報として推定する。あるいは、要因パケット推定部１３は、抽出した識別情報のデータ量の合計値に対するデータ量の割合が所定の割合を超える識別情報を、要因パケットの識別情報として推定しても良い。
【００５７】
このように、各物理リンクの帯域使用率に関する情報と、各識別情報のデータ量に関する情報と、振り分けルールとを使用することで、要因パケット推定部１３は、不均衡の要因となっている要因パケットの識別情報を推定することができる。
【００５８】
要因パケット推定部１３は、推定した要因パケットの識別情報を伝送装置４０へ出力する。あるいは、要因パケット推定部１３は、今回推定した要因パケットの情報を、伝送装置４０に前回出力した設定情報に追加し、その設定情報を伝送装置４０へ出力しても良い。
【００５９】
設定情報は、伝送装置４０に設定する要因パケットの各々についての識別情報と使用帯域とを含む。要因パケット推定部１３は、上述の方法で推定した要因パケットの識別情報および使用帯域を、伝送装置４０へ前回出力した設定情報に追加する。なお、要因パケットの使用帯域は、要因パケットのデータ量（第二の情報）である。
【００６０】
また、要因パケット推定部１３は、設定情報に登録されている要因パケットの各々について、第二の情報に基づいて、その使用帯域を更新する。
【００６１】
ただし、伝送装置４０に設定できる要因パケットの識別情報の数には上限がある。そのため、設定情報に登録されている要因パケットの識別情報の数がすでに上限に達している場合には、今回推定した要因パケットより使用帯域が小さい要因パケットの識別情報と、今回推定した要因パケットの識別情報とを入れ替える。
【００６２】
また、ある識別情報を持つパケットがある期間に増加することを、利用者があらかじめ把握している場合には、伝送監視装置１０は、そのパケットの識別情報を利用者の設定入力により受け付け、伝送装置４０への設定情報に追加しても良い。
【００６３】
次に、図６を用いて、本実施形態の伝送装置４０の構成例について説明する。本実施形態の伝送装置４０は、受信ポート群４１、第一の振り分け部２２、第二の振り分け部２３、送信ポート群４４および設定受信部４５により構成される。図６の受信ポート群４１、第一の振り分け部２２および第二の振り分け部２３は、第一の実施形態の伝送装置２０の構成例（図２）のパケット受信部２１、第一の振り分け部２２および第二の振り分け部２３に相当する。
【００６４】
受信ポート群４１は、送信装置３０が送信したパケットを受信する物理ポートの集合である。受信ポート群４１は、受信したパケットの転送先の装置を決定して、パケットの転送先が対向装置５０の場合、対向装置５０用の第一の振り分け部２２へパケットを出力する。
【００６５】
送信ポート群４４は、対向装置５０宛てのＬＡＧに属する物理ポートの集合である。送信ポート群４４は、対向装置５０宛てのパケットを対向装置５０の受信ポートへ送信する。また、送信ポート群４４は、物理ポートごとに、輻輳の場合のパケットのシェーピングや、ＴｏＳ（Type of Service）／ＣｏＳ等に基づく優先制御を行う。
【００６６】
設定受信部４５は、伝送監視装置１０から、要因パケットの設定情報を受信する。設定情報は、各要因パケットの識別情報と使用帯域とを含む。
【００６７】
受信ポート群４１は、送信装置３０からパケットを受信する。
【００６８】
第一の振り分け部２２は、送信ポート群４４から、リンクアップ／リンクダウン、各物理リンクの最大使用可能帯域の情報、使用帯域の情報などを受信する。また、要因パケットの各々について、振り分け先の物理リンクを決定し、要因パケットの振り分け先の物理リンクの情報を伝送監視装置１０へ送信する。
【００６９】
また、第一の振り分け部２２は、受信ポート群４１が受信したパケットが要因パケットのとき、受信したパケットを、要因パケットの振り分け先の物理リンクに振り分ける。また、第一の振り分け部２２は、受信ポート群４１が受信したパケットが要因パケットでないとき、受信したパケットを第二の振り分け部２３へ出力する。
【００７０】
第二の振り分け部２３は、各物理リンクについて、最大使用可能帯域から、当該物理リンクを振り分け先とする要因パケットの使用帯域（設定受信部４５が受信）を減算して残帯域を計算する。そして、各物理リンクの残帯域に基づいて、要因パケットでないパケットの振り分けルールを決定する。また、決定した振り分けルールの情報を伝送監視装置１０へ送信する。
【００７１】
また、第二の振り分け部２３は、第一の振り分け部２２から受信したパケット、すなわち、要因パケットでないパケットを、振り分けルールに従って、ＬＡＧを構成する物理リンクのいずれかに振り分ける。
【００７２】
なお、上記の説明では、第一の振り分け部２２が、受信ポート群４１が受信したパケットが要因パケットかどうか判断し、要因パケットでないパケットを第二の振り分け部２３へ出力する構成とした。しかし、第一の振り分け部２２と第二の振り分け部２３がそれぞれ、受信ポート群４１が受信したパケットが要因パケットかどうか判断しても良い。あるいは、第二の振り分け部２３が、受信ポート群４１が受信したパケットが要因パケットかどうか判断し、要因パケットを第一の振り分け部２２に出力しても良い。
【００７３】
次に、第一の振り分け部２２における、要因パケットの振り分け先の物理リンクの決定方法の例について説明する。第一の振り分け部２２は、ＬＡＧに属し、活性化している物理ポートの中から、たとえば、次の判断基準を満たす物理リンクを優先して、要因パケットの振り分け先の物理リンクとして決定する。なお、いずれかの判断基準を満たす物理リンクが複数ある場合には、判断基準１＞判断基準２＞判断基準３の順で優先するものとする。
判断基準１：要因パケットが現在使用している物理リンク（例外：障害リンク等）
判断基準２：残帯域が最大の物理リンク
判断基準３：他の要因パケットが使用していない物理リンク
なお、第一の振り分け部２２は、送信ポート群４４のすべてがリンクダウンしている場合を除き、リンクダウンしている物理リンク以外の物理リンクを、要因パケットの振り分け先とする。要因パケットの振り分け先の物理リンクにリンク断が発生した場合には、第一の振り分け部２２は、要因パケットの振り分け先を変更する。
【００７４】
また、第一の振り分け部２２は、ある要因パケットに対して決定した振り分け先を、なるべく変更しないことが望ましい。これは、振り分け先の変更によって、パケットの到着順序に入れ替わりが発生した場合に生じる可能性がある問題を回避するためである。
【００７５】
また、要因パケットの振り分け先を変更する場合、第一の振り分け部２２は、なるべく、使用帯域が多い要因パケットを優先して、振り分け先を決定することが望ましい。
【００７６】
また、一つの物理リンクに複数の要因パケットを振り分けることは可能だが、複数の要因パケットの振り分け先は、なるべく異なる物理リンクになるようにすることが望ましい。設定受信部４５が受信した設定情報に含まれる使用帯域は、要因パケットの実際の使用帯域ではなく、過去の使用帯域（第二の情報）に基づく、見込みの使用帯域である。そのため、実際の使用帯域が見込みの使用帯域より小さければ、空き帯域が発生する。要因パケットの振り分け先の物理リンクに要因パケット以外のパケットが振り分けられれば、上述の空き帯域を他のパケットが使用して、伝送効率をより向上することが可能になる。
【００７７】
また、第一の振り分け部２２は、ある物理リンクに振り分けられる要因パケットの使用帯域の合計が、当該物理リンクの最大使用可能帯域を超えないように、振り分け先を決定することが望ましい。これは、ある物理リンクに振り分けられる要因パケットの実際の使用帯域の合計が、当該物理リンクの最大使用可能帯域を超えると、輻輳によりパケットが破棄されるためである。
【００７８】
次に、第二の振り分け部２３における、要因パケット以外のパケットの振り分けルールの決定方法について説明する。
【００７９】
第二の振り分け部２３は、まず、各物理リンクについて、要因パケットの使用帯域（見込み）を当該物理リンクの最大使用可能帯域から減算して残帯域を計算する。なお、残帯域が０を下回った物理リンクについては、以降、当該物理リンクの残帯域を０と見なす。
【００８０】
そして、第二の振り分け部２３は、各物理リンクに振り分けるパケットの識別情報（キー）の数の比が、残帯域の比と等しくなるよう、振り分けルールを決定する。なお、すべての物理リンクの残帯域が０の場合には、各物理リンクの最大使用可能帯域の比によって、振り分けルールを決定する。
【００８１】
次に、本実施形態の伝送監視装置１０および伝送装置４０の効果について説明する。
【００８２】
本実施形態の伝送装置４０は、要因パケットでないパケットを、要因パケットを除いた残帯域の比率に応じて、振り分ける。そのため、ＬＡＧを構成する物理リンクの伝送効率が向上する。
【００８３】
たとえば、最大使用可能帯域が１０Ｇｂｐｓの物理リンクＡと物理リンクＢでＬＡＧを構成し、識別情報が「ａ」である８Ｇｂｐｓのパケットが物理リンクＡに固定的に流れているとする。また、その他のパケット（識別情報が「ａ」でないパケット）の使用帯域は、各識別情報（キー）に対して均等であるとする。このとき、各物理リンクに振り分ける識別情報の数が同じになるようにすると、その他のパケットの使用帯域の合計が４Ｇｂｐｓになったとき、物理リンクＡの帯域使用率が１００％になる。そして、その他のパケットの使用帯域の合計が１２Ｇｂｐｓの場合には、物理リンクＡで４Ｇｂｐｓ分のパケットが破棄されてしまう。
【００８４】
また、最大使用可能帯域が１０Ｇｂｐｓの物理リンクＣをＬＡＧに追加しても、その他のパケットの使用帯域の合計が６Ｇｂｐｓ（物理リンクＡの残帯域（２）×物理リンク数（３））になったとき、物理リンクＡの帯域使用率が１００％になる。そして、その他のパケットの使用帯域の合計がさらに増えると、物理リンクＡでパケットが破棄されてしまう。
【００８５】
これに対し、本実施形態の伝送監視装置１０が、識別情報が「ａ」である８Ｇｂｐｓのパケットを要因パケットとして伝送装置４０に設定すると、伝送装置４０は、識別情報が「ａ」である８Ｇｂｐｓのパケットを物理リンクＡへ振り分ける。また、伝送装置４０は、その他のパケットを、（１０−８）：１０の比で物理リンクＡと物理リンクＢに振り分ける。その結果、伝送装置４０は、合計２０Ｇｂｐｓまでのパケットを伝送することが可能になる。また、ＬＡＧに物理リンクＣを追加した場合には、伝送装置４０は、合計３０Ｇｂｐｓまでのパケットを伝送することが可能になる。
【００８６】
また、本実施形態の伝送監視装置１０は、ＬＡＧを構成する物理リンクに不均衡があるときに、不均衡の要因となっている要因パケットを推定する。そして、伝送装置４０が、要因パケットでないパケットを、要因パケットを除いた残帯域の比率に応じて、振り分ける。要因パケットは、パケットの優先度に基づくものではなく、また、伝送装置４０は要因パケットの帯域を保証するわけではない。そのため、障害の発生等によりＬＡＧを構成する物理リンクの最大使用可能帯域の合計が減少しても、伝送装置４０は、要因パケットより優先度が高いパケットがあれば、優先度が高いパケットを優先して伝送することができる。
【００８７】
このように伝送監視装置１０および伝送装置４０を構成することによって、伝送監視装置１０は、ＬＡＧを構成する物理リンクの帯域使用率に不均衡があるとき、不均衡の要因となっている要因パケットを推定して出力する。伝送装置４０は、要因パケットの振り分け先の物理リンクに要因パケットを振り分ける。また、伝送装置４０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【００８８】
また、本実施形態の伝送監視装置１０は、ＬＡＧを構成する物理リンクを通過するパケットを送信する送信装置３０から第二の情報を受信する。そのため、伝送監視装置１０は、ＬＡＧを構成する物理リンクを通過するパケットの識別情報の各々についてのデータ量に関する第二の情報を容易に把握することが可能になる。
【００８９】
次に、図７を用いて本実施形態の伝送監視装置１０の動作例について説明する。
【００９０】
第一の情報受信部１１は、所定のタイミング、たとえば、１時間おきに、伝送装置４０から第一の情報を受信する。第一の情報は、ＬＡＧを構成する各々の物理リンクの帯域使用率に関する情報を含む。なお、第一の情報受信部１１は、伝送装置４０から、送信ポート群４４の各物理ポートの使用帯域を受信し、使用帯域に基づいて帯域使用率を計算するものとする。
【００９１】
また、第二の情報受信部１２は、所定のタイミング、たとえば、１時間おきに、第二の情報を受信する。第二の情報は、ＬＡＧを構成する物理リンクを通過するパケットの識別情報の各々についてのデータ量に関する情報を含む。なお、第二の情報受信部１２は、送信装置３０から、第二の情報を受信するものとする。
【００９２】
なお、第一の情報および第二の情報の受信周期は、変化が多い時間帯には短く、変化が少ない時間帯（夜間など）では長い、など、時間帯によって可変であっても良い。また、不均衡が発生していると要因パケット推定部１３が判断した場合に、受信周期を短くすることも可能である。
【００９３】
また、要因パケット推定部１３は、あらかじめ、伝送装置４０についての以下の情報を把握しているものとする。
・ＬＡＧに属する物理リンクの情報
・各物理リンクの最大使用可能帯域
・各物理リンクの死活情報
・設定済みの要因パケットの設定情報
・設定可能な要因パケットの識別情報の数
・要因パケット以外のパケットの振り分けルール
また、要因パケット推定部１３は、障害やリンクアップ／リンクダウンなどによって使用可能な物理リンクが変化した場合などに、伝送装置４０から状態変化の通知を受信し、上記の情報を更新する。
【００９４】
要因パケット推定部１３は、所定のタイミング、たとえば、６時間おきに、第一の情報に基づいて、ＬＡＧを構成する物理リンクの帯域使用率に不均衡があるか確認する。そして、帯域使用率に不均衡があるとき（ステップＳ２０１でＹＥＳ）、要因パケット推定部１３は、伝送装置４０における振り分けルールから、不均衡の要因の物理リンクに振り分けられているパケットの識別情報を抽出する（ステップＳ２０２）。たとえば、不均衡の要因の物理リンクは、ＬＡＧを構成する物理リンクのうち、帯域使用率が最大の物理リンクである。
【００９５】
次に、要因パケット推定部１３は、第二の情報に基づいて、抽出した識別情報の中から、要因パケットの識別情報を推定する（ステップＳ２０３）。たとえば、要因パケット推定部１３は、抽出した識別情報のうち、送信装置３０での送信データ量が最大の識別情報を、要因パケットの識別情報として推定する。
【００９６】
次に、要因パケット推定部１３は、伝送装置４０に設定する要因パケットの設定情報を決定する（ステップＳ２０４）。要因パケット推定部１３は、伝送装置４０への設定情報に、ステップＳ２０３で推定した要因パケットの情報を追加する。また、第二の情報に基づいて、設定情報の使用帯域を更新する。
【００９７】
そして、要因パケット推定部１３は、要因パケットの設定情報を伝送装置４０へ出力する（ステップＳ２０５）。
【００９８】
次に、図８および図４を用いて本実施形態の伝送装置４０の動作例について説明する。図８は、振り分けルールの変更に関する動作例、図４は、伝送装置４０がパケットを受信したときの動作例である。なお、図８の動作は、伝送監視装置１０が行っても良い。
【００９９】
まず、第一の振り分け部２２および第二の振り分け部２３は、あらかじめ、送信ポート群４４についての以下の情報を把握しているものとする。
・ＬＡＧに属する物理リンクの情報
・各物理リンクの最大使用可能帯域
・各物理リンクの死活情報
伝送装置４０の第一の振り分け部２２は、振り分けルール変更のトリガとなるイベントが発生すると（ステップＳ２０６）、まず、要因パケットの各々について、振り分け先の物理リンクを決定する（ステップＳ２０７）。
【０１００】
振り分けルール変更のトリガとなるイベントは、たとえば、伝送監視装置１０からの設定情報の受信や、使用可能物理リンクの変更などである。
【０１０１】
伝送装置４０は、伝送監視装置１０から要因パケットの設定情報を受信すると、要因パケットの振り分け先の物理リンクを決定する。また、要因パケットの振り分け先の物理リンクがダウンした場合には、ダウンしていない物理リンクへ、要因パケットの振り分け先を変更する。また、リンクアップ／リンクダウン、新たな物理リンクの追加／削除などによって、物理リンクに関する情報が変化した場合にも、要因パケットの振り分け先の変更や、要因パケットでないパケットの振り分けルールを変更する。
【０１０２】
次に、第二の振り分け部２３は、各物理リンクについて、最大使用可能帯域から要因パケットの使用帯域を減算して残帯域を計算する（ステップＳ２０８）。そして、第二の振り分け部２３は、各物理リンクの残帯域に基づいて、要因パケットでないパケットの振り分けルールを決定する（ステップＳ２０９）。また、第一の振り分け部２２は要因パケットの振り分け先の情報を、第二の振り分け部２３は要因パケットでないパケットの振り分けルールの情報を、伝送監視装置１０へ送信する（ステップＳ２１０）。
【０１０３】
また、受信ポート群４１は送信装置３０からパケットを受信する（図４のステップＳ１１１）。そして、受信したパケットが要因パケットのとき（ステップＳ１１２でＹＥＳ）、第一の振り分け部２２は、受信したパケットを、要因パケットの振り分け先の物理リンクに振り分ける（ステップＳ１１３）。
【０１０４】
受信したパケットが要因パケットでないとき（ステップＳ１１２でＮＯ）、第一の振り分け部２２は、受信したパケットを第二の振り分け部２３へ出力する。そして、第二の振り分け部２３は、要因パケットでないパケットの振り分けルールに従って、受信したパケットを振り分ける（ステップＳ１１４）。
【０１０５】
そして、送信ポート群４４は、対向装置５０へパケットを転送する。なお、優先制御等によってパケットを破棄する場合や、リンクダウン／リンクアップが発生した場合には、送信ポート群４４は、第一の振り分け部２２、第二の振り分け部２３および伝送監視装置１０へその旨を通知する（ステップＳ２０６）。
【０１０６】
このように動作することによって、伝送監視装置１０は、ＬＡＧを構成する物理リンクの帯域使用率に不均衡があるとき、不均衡の要因となっている要因パケットを推定して出力する。伝送装置４０は、要因パケットの振り分け先の物理リンクに要因パケットを振り分ける。また、伝送装置４０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【０１０７】
以上で説明したように、本発明の第二の実施形態では、伝送監視装置１０は、ＬＡＧを構成する物理リンクの帯域使用率に不均衡があるとき、不均衡の要因となっている要因パケットを推定して出力する。伝送装置４０は、要因パケットの振り分け先の物理リンクに要因パケットを振り分ける。また、伝送装置４０は、物理リンクの最大使用可能帯域から当該物理リンクを振り分け先とする要因パケットの使用帯域を減算した残帯域に基づく振り分けルールに従って、要因パケットでないパケットを振り分ける。これにより、帯域使用率の不均衡の要因となっている要因パケットの使用帯域を除いた残帯域に応じて、要因パケットでないパケットが割り振られるようになるため、ＬＡＧ内に空き帯域がある状態でパケットが破棄される可能性を低減することが可能になる。そのため、リンクアグリゲーションを使用する伝送システムの伝送効率を向上することが可能になる。
【０１０８】
また、本実施形態の伝送監視装置１０は、ＬＡＧを構成する物理リンクを通過するパケットを送信する送信装置３０から第二の情報を受信する。そのため、伝送監視装置１０は、ＬＡＧを構成する物理リンクを通過するパケットの識別情報の各々についてのデータ量に関する第二の情報を容易に把握することが可能になる。
【０１０９】
［ハードウェア構成例］
上述した本発明の各実施形態における伝送監視装置（１０）および伝送装置（２０、４０）（以下、伝送監視装置等）を、一つの情報処理装置（コンピュータ）を用いて実現するハードウェア資源の構成例について説明する。なお、伝送監視装置等は、物理的または機能的に少なくとも二つの情報処理装置を用いて実現してもよい。また、伝送監視装置等は、専用の装置として実現してもよい。また、伝送監視装置等の一部の機能のみを情報処理装置を用いて実現しても良い。
【０１１０】
図９は、本発明の各実施形態の伝送監視装置等を実現可能な情報処理装置のハードウェア構成例を概略的に示す図である。情報処理装置９０は、通信インタフェース９１、入出力インタフェース９２、演算装置９３、記憶装置９４、不揮発性記憶装置９５およびドライブ装置９６を備える。
【０１１１】
通信インタフェース９１は、各実施形態の伝送監視装置等が、有線あるいは／および無線で外部装置と通信するための通信手段である。なお、伝送監視装置等を、少なくとも二つの情報処理装置を用いて実現する場合、それらの装置の間を通信インタフェース９１経由で相互に通信可能なように接続しても良い。
【０１１２】
入出力インタフェース９２は、入力デバイスの一例であるキーボードや、出力デバイスとしてのディスプレイ等のマンマシンインタフェースである。
【０１１３】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【０１１４】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【０１１５】
不揮発性記憶装置９５は、たとえば、ＲＯＭ（Read Only Memory）、フラッシュメモリ、等の、不揮発性の記憶装置であり、各種プログラムやデータ等を記憶することが可能である。
【０１１６】
ドライブ装置９６は、たとえば、後述する記録媒体９７に対するデータの読み込みや書き込みを処理する装置である。
【０１１７】
記録媒体９７は、たとえば、光ディスク、光磁気ディスク、半導体フラッシュメモリ等、データを記録可能な任意の記録媒体である。
【０１１８】
本発明の各実施形態は、たとえば、図９に例示した情報処理装置９０により伝送監視装置等を構成し、この伝送監視装置等に対して、上記各実施形態において説明した機能を実現可能なプログラムを供給することにより実現してもよい。
【０１１９】
この場合、伝送監視装置等に対して供給したプログラムを、演算装置９３が実行することによって、実施形態を実現することが可能である。また、伝送監視装置等のすべてではなく、一部の機能を情報処理装置９０で構成することも可能である。
【０１２０】
さらに、上記プログラムを記録媒体９７に記録しておき、伝送監視装置等の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して伝送監視装置等内にインストールする方法を採用してもよい。また、上記プログラムの供給方法は、インターネット等の通信回線を介して外部からダウンロードする方法等の一般的な手順を採用してもよい。
【０１２１】
上記の実施形態の一部または全部は、以下の付記のようにも記載されうるが、以下には限られない。
【０１２２】
（付記１）
リンクアグリゲーショングループを構成する物理リンクの各々の帯域使用率に関する第一の情報を受信する第一の情報受信手段と、
前記物理リンクを通過するパケットの識別情報の各々についてのデータ量に関する第二の情報を受信する第二の情報受信手段と、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定手段と
を備えることを特徴とする伝送監視装置。
【０１２３】
（付記２）
前記要因パケット推定手段は、前記リンクアグリゲーショングループを構成する前記物理リンクの前記帯域使用率の平均値と最大値との間に第一の値を超える差があるとき、前記不均衡があると判断する
ことを特徴とする付記１に記載の伝送監視装置。
【０１２４】
（付記３）
前記要因パケット推定手段は、前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする付記１あるいは付記２に記載の伝送監視装置。
【０１２５】
（付記４）
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする付記３に記載の伝送監視装置。
【０１２６】
（付記５）
前記要因パケット推定手段は、抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする付記３あるいは付記４に記載の伝送監視装置。
【０１２７】
（付記６）
前記要因パケット推定手段は、さらに、前記要因パケットの前記データ量を出力する
ことを特徴とする付記１から付記５のいずれかに記載の伝送監視装置。
【０１２８】
（付記７）
第一の情報受信手段は、前記第一の情報を、前記リンクアグリゲーショングループを構成する前記物理リンクを使用して前記パケットを伝送する伝送装置から受信する
ことを特徴とする付記１から付記６のいずれかに記載の伝送監視装置。
【０１２９】
（付記８）
前記伝送装置は、前記物理リンクへ前記パケットを送信する
ことを特徴とする付記７に記載の伝送監視装置。
【０１３０】
（付記９）
第二の情報受信手段は、前記第二の情報を、前記物理リンクを通過する前記パケットを送信する送信装置から受信する
ことを特徴とする付記１から付記８のいずれかに記載の伝送監視装置。
【０１３１】
（付記１０）
パケットを受信するパケット受信手段と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け手段と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け手段と
を備えることを特徴とする伝送装置。
【０１３２】
（付記１１）
前記第一の振り分け手段は、前記要因パケットの前記振り分け先を決定する
ことを特徴とする付記１０に記載の伝送装置。
【０１３３】
（付記１２）
前記第二の振り分け手段は、前記振り分けルールを決定する
ことを特徴とする付記１０あるいは付記１１に記載の伝送装置。
【０１３４】
（付記１３）
前記第二の振り分け手段は、前記物理リンクの前記残帯域の比と前記物理リンクを前記振り分け先とする前記識別情報の数の比が等しくなるように、前記振り分けルールを決定する
ことを特徴とする付記１２に記載の伝送装置。
【０１３５】
（付記１４）
前記要因パケットの前記識別情報および前記使用帯域を含む設定情報を受信する設定受信手段
をさらに備えることを特徴とする付記１０から付記１３のいずれかに記載の伝送装置。
【０１３６】
（付記１５）
付記１から付記６のいずれかに記載の伝送監視装置と、
前記リンクアグリゲーショングループを構成する前記物理リンクを使用して前記パケットを伝送する伝送装置と
を備えることを特徴とする伝送システム。
【０１３７】
（付記１６）
付記７あるいは付記８のいずれかに記載の伝送監視装置と、
前記伝送装置と
を備えることを特徴とする伝送システム。
【０１３８】
（付記１７）
付記９に記載の伝送監視装置と、
前記送信装置と
前記リンクアグリゲーショングループを構成する前記物理リンクを使用して前記パケットを伝送する伝送装置と、
を備えることを特徴とする伝送システム。
【０１３９】
（付記１８）
前記伝送装置は、付記１０から付記１４のいずれかに記載の伝送装置である
ことを特徴とする付記１５から付記１７のいずれかに記載の伝送システム。
【０１４０】
（付記１９）
リンクアグリゲーショングループを構成する物理リンクの各々の帯域使用率に関する第一の情報を受信し、
前記物理リンクを通過するパケットの識別情報の各々についてのデータ量に関する第二の情報を受信し、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する
ことを特徴とする伝送監視方法。
【０１４１】
（付記２０）
前記リンクアグリゲーショングループを構成する前記物理リンクの前記帯域使用率の平均値と最大値との間に第一の値を超える差があるとき、前記不均衡があると判断する
ことを特徴とする付記１９に記載の伝送監視方法。
【０１４２】
（付記２１）
前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする付記１９あるいは付記２０に記載の伝送監視方法。
【０１４３】
（付記２２）
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする付記２１に記載の伝送監視方法。
【０１４４】
（付記２３）
抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする付記２１あるいは付記２２に記載の伝送監視方法。
【０１４５】
（付記２４）
さらに、前記要因パケットの前記データ量を出力する
ことを特徴とする付記１９から付記２３のいずれかに記載の伝送監視方法。
【０１４６】
（付記２５）
前記第一の情報を、前記リンクアグリゲーショングループを構成する前記物理リンクを使用して前記パケットを伝送する伝送装置から受信する
ことを特徴とする付記１９から付記２４のいずれかに記載の伝送監視方法。
【０１４７】
（付記２６）
前記伝送装置は、前記物理リンクへ前記パケットを送信する
ことを特徴とする付記２５に記載の伝送監視方法。
【０１４８】
（付記２７）
前記第二の情報を、前記物理リンクを通過する前記パケットを送信する送信装置から受信する
ことを特徴とする付記１９から付記２６のいずれかに記載の伝送監視方法。
【０１４９】
（付記２８）
パケットを受信し、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分け、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける
ことを特徴とする伝送方法。
【０１５０】
（付記２９）
前記要因パケットの前記振り分け先を決定する
ことを特徴とする付記２８に記載の伝送方法。
【０１５１】
（付記３０）
前記振り分けルールを決定する
ことを特徴とする付記２８あるいは付記２９に記載の伝送方法。
【０１５２】
（付記３１）
前記物理リンクの前記残帯域の比と前記物理リンクを前記振り分け先とする前記識別情報の数の比が等しくなるように、前記振り分けルールを決定する
ことを特徴とする付記３０に記載の伝送方法。
【０１５３】
（付記３２）
前記要因パケットの前記識別情報および前記使用帯域を含む設定情報を受信する
ことを特徴とする付記２８から付記３１のいずれかに記載の伝送方法。
【０１５４】
（付記３３）
前記リンクアグリゲーショングループを構成する前記物理リンクの各々の前記帯域使用率に関する第一の情報を受信し、
前記物理リンクを通過する前記パケットの前記識別情報の各々についてのデータ量に関する第二の情報を受信し、
前記リンクアグリゲーショングループを構成する前記物理リンクの前記帯域使用率に不均衡があるとき、前記振り分けルールおよび前記第二の情報に基づいて推定した、前記要因パケットの前記識別情報を出力する
ことを特徴とする付記２８から付記３２のいずれかに記載の伝送方法。
【０１５５】
（付記３４）
コンピュータに、
リンクアグリゲーショングループを構成する物理リンクの各々の帯域使用率に関する第一の情報を受信する第一の情報受信機能と、
前記物理リンクを通過するパケットの識別情報の各々についてのデータ量に関する第二の情報を受信する第二の情報受信機能と、
前記リンクアグリゲーショングループを構成する前記物理リンクの前記帯域使用率に不均衡があるとき、前記パケットの前記識別情報と前記パケットの振り分け先の前記物理リンクとの対応関係を示す振り分けルール、および前記第二の情報に基づいて推定した、前記不均衡の要因となっている要因パケットの前記識別情報を出力する要因パケット推定機能と
を実現させることを特徴とする伝送監視プログラムを記録したコンピュータ読み取り可能な記録媒体。
【０１５６】
（付記３５）
前記要因パケット推定機能は、前記リンクアグリゲーショングループを構成する前記物理リンクの前記帯域使用率の平均値と最大値との間に第一の値を超える差があるとき、前記不均衡があると判断する
ことを特徴とする付記３４に記載の伝送監視プログラムを記録したコンピュータ読み取り可能な記録媒体。
【０１５７】
（付記３６）
前記要因パケット推定機能は、前記振り分けルールから、前記不均衡の要因の前記物理リンクを前記振り分け先とする前記パケットの前記識別情報を抽出し、抽出した前記識別情報の中から、前記要因パケットの前記識別情報を推定する
ことを特徴とする付記３４あるいは付記３５に記載の伝送監視プログラムを記録したコンピュータ読み取り可能な記録媒体。
【０１５８】
（付記３７）
前記不均衡の要因の前記物理リンクは、前記リンクアグリゲーショングループを構成する前記物理リンクのうち、前記帯域使用率が最大の前記物理リンク、あるいは、前記リンクアグリゲーショングループを構成する前記物理リンクの前記帯域使用率の平均値と第二の値との和より、前記帯域使用率が大きい前記物理リンクである
ことを特徴とする付記３６に記載の伝送監視プログラムを記録したコンピュータ読み取り可能な記録媒体。
【０１５９】
（付記３８）
前記要因パケット推定機能は、抽出した前記識別情報のうち、前記データ量が最大の前記識別情報、あるいは、抽出した前記識別情報の前記データ量の合計値に対する前記データ量の割合が所定の割合を超える前記識別情報を、前記要因パケットの前記識別情報として推定する
ことを特徴とする付記３６あるいは付記３７に記載の伝送監視プログラムを記録したコンピュータ読み取り可能な記録媒体。
【０１６０】
（付記３９）
前記要因パケット推定機能は、さらに、前記要因パケットの前記データ量を出力する
ことを特徴とする付記３４から付記３８のいずれかに記載の伝送監視プログラムを記録したコンピュータ読み取り可能な記録媒体。
【０１６１】
（付記４０）
第一の情報受信機能は、前記第一の情報を、前記リンクアグリゲーショングループを構成する前記物理リンクを使用して前記パケットを伝送する伝送装置から受信する
ことを特徴とする付記３４から付記３９のいずれかに記載の伝送監視プログラムを記録したコンピュータ読み取り可能な記録媒体。
【０１６２】
（付記４１）
前記伝送装置は、前記物理リンクへ前記パケットを送信する
ことを特徴とする付記４０に記載の伝送監視プログラムを記録したコンピュータ読み取り可能な記録媒体。
【０１６３】
（付記４２）
第二の情報受信機能は、前記第二の情報を、前記物理リンクを通過する前記パケットを送信する送信装置から受信する
ことを特徴とする付記３４から付記４１のいずれかに記載の伝送監視プログラムを記録したコンピュータ読み取り可能な記録媒体。
【０１６４】
（付記４３）
コンピュータに、
パケットを受信するパケット受信機能と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け機能と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け機能と
を実現させることを特徴とする伝送プログラムを記録したコンピュータ読み取り可能な記録媒体。
【０１６５】
（付記４４）
前記第一の振り分け機能は、前記要因パケットの前記振り分け先を決定する
ことを特徴とする付記４３に記載の伝送プログラムを記録したコンピュータ読み取り可能な記録媒体。
【０１６６】
（付記４５）
前記第二の振り分け機能は、前記振り分けルールを決定する
ことを特徴とする付記４３あるいは付記４４に記載の伝送プログラムを記録したコンピュータ読み取り可能な記録媒体。
【０１６７】
（付記４６）
前記第二の振り分け機能は、前記物理リンクの前記残帯域の比と前記物理リンクを前記振り分け先とする前記識別情報の数の比が等しくなるように、前記振り分けルールを決定する
ことを特徴とする付記４５に記載の伝送プログラムを記録したコンピュータ読み取り可能な記録媒体。
【０１６８】
（付記４７）
前記要因パケットの前記識別情報および前記使用帯域を含む設定情報を受信する設定受信機能
をコンピュータにさらに備えることを特徴とする付記４３から付記４６のいずれかに記載の伝送プログラムを記録したコンピュータ読み取り可能な記録媒体。
【０１６９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１７０】
この出願は、２０１８年２月２７日に出願された日本出願特願２０１８−０３３０８０を基礎とする優先権を主張し、その開示の全てをここに取り込む。
【符号の説明】
【０１７１】
１０    伝送監視装置
１１    第一の情報受信部
１２    第二の情報受信部
１３    要因パケット推定部
２０、４０    伝送装置
２１    パケット受信部
２２    第一の振り分け部
２３    第二の振り分け部
３０    送信装置
４１    受信ポート群
４４    送信ポート群
４５    設定受信部
５０    対向装置
６０    受信装置
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2019167734.tif 000003
【図２】
2019167734.tif 000004
【図３】
2019167734.tif 000005
【図４】
2019167734.tif 000006
【図５】
2019167734.tif 000007
【図６】
2019167734.tif 000008
【図７】
2019167734.tif 000009
【図８】
2019167734.tif 000010
【図９】
2019167734.tif 000011
【手続補正書】
【提出日】令和2年7月16日(2020.7.16)
【手続補正２】
【補正対象書類名】特許請求の範囲
【補正対象項目名】全文
【補正方法】変更
【補正の内容】
【特許請求の範囲】
【請求項１】
パケットを受信するパケット受信手段と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け手段と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け手段と
を備えることを特徴とする伝送装置。
【請求項２】
前記第一の振り分け手段は、前記要因パケットの前記振り分け先を決定する
ことを特徴とする請求項１に記載の伝送装置。
【請求項３】
前記第二の振り分け手段は、前記振り分けルールを決定する
ことを特徴とする請求項１あるいは請求項２に記載の伝送装置。
【請求項４】
前記第二の振り分け手段は、前記物理リンクの前記残帯域の比と前記物理リンクを前記振り分け先とする前記識別情報の数の比が等しくなるように、前記振り分けルールを決定する
ことを特徴とする請求項３に記載の伝送装置。
【請求項５】
前記要因パケットの前記識別情報および前記使用帯域を含む設定情報を受信する設定受信手段
をさらに備えることを特徴とする請求項１から請求項４のいずれかに記載の伝送装置。
【請求項６】
パケットを受信し、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分け、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける
ことを特徴とする伝送方法。
【請求項７】
前記要因パケットの前記振り分け先を決定する
ことを特徴とする請求項６に記載の伝送方法。
【請求項８】
前記振り分けルールを決定する
ことを特徴とする請求項６あるいは請求項７に記載の伝送方法。
【請求項９】
前記物理リンクの前記残帯域の比と前記物理リンクを前記振り分け先とする前記識別情報の数の比が等しくなるように、前記振り分けルールを決定する
ことを特徴とする請求項８に記載の伝送方法。
【請求項１０】
コンピュータに、
パケットを受信するパケット受信機能と、
受信した前記パケットが、リンクアグリゲーショングループを構成する物理リンクの帯域使用率の不均衡の要因となっている要因パケットであるとき、受信した前記パケットを、前記要因パケットの振り分け先の物理リンクに振り分ける第一の振り分け機能と、
受信した前記パケットが前記要因パケットでないとき、リンクアグリゲーショングループを構成する前記物理リンクの各々について、当該物理リンクの最大使用可能帯域から、当該物理リンクを前記振り分け先とする前記要因パケットの使用帯域を減算した残帯域に基づく、前記パケットの識別情報と前記パケットの前記振り分け先の前記物理リンクとの対応関係を示す振り分けルールに従って、受信した前記パケットを振り分ける第二の振り分け機能と
を実現させることを特徴とする伝送プログラム。
【国際調査報告】
2019167734.tif 000012
2019167734.tif 000013
2019167734.tif 000014
2019167734.tif 000015